(57)【要約】      （修正有）【課題】省スペースで使用しやすく資源を節約できる収納箱内蔵釣り糸用スプールを提供する。【解決手段】円筒状の釣り糸用スプール１３と、箱本体１１及び蓋１２を有する収納箱とを備える。箱本体の開口部側の外周には第一ねじ部１１１が形成され、蓋の内側には第一ねじ部に螺合される第二ねじ部１２１が形成され、箱本体の底部側の内周には第一ねじ部に螺合される第三ねじ部１１２が形成されている。収納箱内蔵釣り糸用スプールは、第一ねじ部、第二ねじ部により、箱本体及び蓋を接続して収納箱を構成することができ、さらに収納箱を円筒状の釣り糸用スプールの中空部分に挿入することができる。また、第一ねじ部と第三ねじ部により、複数の収納箱の本体同士が接続できる。【選択図】図１
0003201600.tif 000002
【実用新案登録請求の範囲】
【請求項１】
円筒状の釣り糸用スプールと、収納箱本体及び収納箱蓋を有する収納箱とを備え、前記収納箱本体の開口部側の外周には第一ねじ部が形成されており、前記収納箱蓋の内側には前記第一ねじ部に螺合される第二ねじ部が形成されており、前記収納箱本体の底部側の内周には他の収納箱本体の第一ねじ部に螺合される第三ねじ部が形成されていることを特徴とする収納箱内蔵釣り糸用スプール。
【請求項２】
前記収納箱本体と前記収納箱蓋とは、円形断面を有し、外径が等しく、前記釣り糸用スプールの中空部分の内径に適合させてあることを特徴とする請求項１に記載の収納箱内蔵釣り糸用スプール。
【請求項３】
複数の前記収納箱本体同士は、第一ねじ部及び第三ねじ部を通じて接続したうえ、第一ねじ部及び第二ねじ部を通じて前記収納箱蓋を接続することで、収納箱を構成するようにしてあることを特徴とする請求項１に記載の収納箱内蔵釣り糸用スプール。
【請求項４】
円筒状の釣り糸用スプールと、収納箱本体及び収納箱蓋を有する収納箱とを備え、前記収納箱本体及び収納箱蓋夫々は、円形断面を有し、前記収納箱本体の開口部側の外周には、第一ねじ部が周方向に沿って形成されており、前記収納箱蓋の開口部側の内周には、前記第一ねじ部に螺合される第二ねじ部が周方向に沿って形成されていることを特徴とする収納箱内蔵釣り糸用スプール。
【請求項５】
前記収納箱本体と前記収納箱蓋とは、外径が等しく、前記釣り糸用スプールの中空部分の内径に適合させてあることを特徴とする請求項４に記載の収納箱内蔵釣り糸用スプール。
【請求項６】
前記収納箱本体の底部側の内周には、他の収納箱本体の第一ねじ部に螺合される第三ねじ部が周方向に沿って形成されており、複数の前記収納箱本体同士は、第一ねじ部及び第三ねじ部を通じて接続したうえ、第一ねじ部及び第二ねじ部を通じて前記収納箱蓋を接続することで、収納箱を構成するようにしてあることを特徴とする請求項４に記載の収納箱内蔵釣り糸用スプール。
【請求項７】
前記釣り糸用スプールの中空部分は、一又は複数の収納箱を設けることができる寸法を有することを特徴とする請求項１又は４に記載の収納箱内蔵釣り糸用スプール。
【考案の詳細な説明】
【技術分野】
【０００１】
本考案は釣り具、特に収納箱内蔵釣り糸用スプールに関する。
【背景技術】
【０００２】
市販の釣り糸用スプールは、釣り糸を巻くために設計されたものであるため、機能が単一で、使用後は廃棄され、無駄になる。一方、釣り針、サルカン、オモリなどの小物は、スペースを取り、雑で、紛失しやすく、携帯が面倒なうえ、適切に保管しないと怪我をする恐れもある。
【考案の概要】
【考案が解決しようとする課題】
【０００３】
本考案は上記技術的な欠陥を解消するためになされたものであって、その目的とするところは、省スペースで、使用しやすく、資源を節約させる収納箱内蔵釣り糸用スプールを提供することにある。
【課題を解決するための手段】
【０００４】
本考案に係る収納箱内蔵釣り糸用スプールは、円筒状の釣り糸用スプールと、収納箱本体及び収納箱蓋を有する収納箱とを備え、前記収納箱本体の開口部側の外周には第一ねじ部が形成されており、前記収納箱蓋の内側には前記第一ねじ部に螺合される第二ねじ部が形成されており、前記収納箱本体の底部側の内周には他の収納箱本体の第一ねじ部に螺合される第三ねじ部が形成されていることを特徴とする。
【０００５】
本考案に係る収納箱内蔵釣り糸用スプールは、前記収納箱本体と前記収納箱蓋とは、円形断面を有し、外径が等しく、前記釣り糸用スプールの中空部分の内径に適合させてあることを特徴とする。
【０００６】
本考案に係る収納箱内蔵釣り糸用スプールは、複数の前記収納箱本体同士は、第一ねじ部及び第三ねじ部を通じて接続したうえ、第一ねじ部及び第二ねじ部を通じて前記収納箱蓋を接続することで、収納箱を構成するようにしてあることを特徴とする。
【０００７】
本考案に係る収納箱内蔵釣り糸用スプールは、円筒状の釣り糸用スプールと、収納箱本体及び収納箱蓋を有する収納箱とを備え、前記収納箱本体及び収納箱蓋夫々は、円形断面を有し、前記収納箱本体の開口部側の外周には、第一ねじ部が周方向に沿って形成されており、前記収納箱蓋の開口部側の内周には、前記第一ねじ部に螺合される第二ねじ部が周方向に沿って形成されていることを特徴とする。
【０００８】
本考案に係る収納箱内蔵釣り糸用スプールは、前記収納箱本体と前記収納箱蓋とは、外径が等しく、前記釣り糸用スプールの中空部分の内径に適合させてあることを特徴とする。
【０００９】
本考案に係る収納箱内蔵釣り糸用スプールは、前記収納箱本体の底部側の内周には、他の収納箱本体の第一ねじ部に螺合される第三ねじ部が周方向に沿って形成されており、複数の前記収納箱本体同士は、第一ねじ部及び第三ねじ部を通じて接続したうえ、第一ねじ部及び第二ねじ部を通じて前記収納箱蓋を接続することで、収納箱を構成するようにしてあることを特徴とする。
【００１０】
本考案に係る収納箱内蔵釣り糸用スプールは、前記釣り糸用スプールの中空部分は、一又は複数の収納箱を設けることができる寸法を有することを特徴とする。
【考案の効果】
【００１１】
本考案に係る収納箱内蔵釣り糸用スプールによれば、釣り糸用スプールの機能と収納箱の機能を両立させ、釣り糸用スプールの寸法を変更せずに、収納箱の機能を導入することができる。第一ねじ部、第二ねじ部を設けることで、収納箱本体と収納箱蓋とを接続して収納箱を構成することができる。また、収納箱を釣り糸用スプールの中空部分に挿入することにより、収納箱内蔵釣り糸用スプールが実現される。また、第一ねじ部と第三ねじ部を設けることで、複数の前記収納箱の本体同士の接続が達成され、実用かつ便利になる。
【図面の簡単な説明】
【００１２】
【図１】本考案の収納箱内蔵釣り糸用スプールの構造分解図である。
【図２】本考案の収納箱蓋と複数の収納箱本体との接続構造を示す模式図である。
【考案を実施するための形態】
【００１３】
以下、本考案の目的、構成及び効果を一層明確させるために、実施形態の図面に基づいて、本考案を具体的に説明する。勿論、説明する形態は本考案の一部の形態に過ぎず、全ての形態を網羅していない。本考案の形態を参照することで、当業者が創造的な仕事をせずに得たほかの形態は全て本考案の保護範囲内に属する。
【００１４】
図１は本考案の収納箱内蔵釣り糸用スプールの構造分解図である。図１に示すように、本考案の収納箱内蔵釣り糸用スプールは、円筒状の釣り糸用スプール１３、収納箱本体１１、及び収納箱蓋１２を備える。収納箱本体１１の開口部側の外周には、第一ねじ部１１１が形成されている。収納箱蓋１２の内側には、第一ねじ部１１１に螺合される第二ねじ部１２１が形成されている。収納箱本体１１の底部側の内周には、第一ねじ部１１１に螺合される第三ねじ部１１２が形成されている。
【００１５】
収納箱本体１１と収納箱蓋１２とは、円形断面を有し、外径が同じ、釣り糸用スプール１３の中空部分の内径に適合させてある。第一ねじ部１１１と第二ねじ部１２１とを螺合させることで、収納箱を構成することができる。収納箱は釣り糸用スプール１３の中空部分に適宜かつ容易に挿入することができる。
【００１６】
図２は本考案の収納箱蓋１２と複数の収納箱本体１１との接続構造を示す模式図である。図２に示すように、複数の収納箱本体１１同士は、第一ねじ部１１１及び第三ねじ部１１２を通じて接続した上、第一ねじ部１１１及び第二ねじ部１２１を通じて収納箱蓋１２を接続することで、収納箱を構成することができる。
【００１７】
釣り糸用スプール１３の中空部分は、一又は複数の収納箱を設けることができる。
【００１８】
本考案は、主に次の３つの部分で構成される。Ａ：釣り糸用スプール１３、Ｂ：収納箱本体１１、Ｃ：収納箱蓋１２
【００１９】
以下、製品の構造及び機能を説明する。
収納箱本体１１と収納箱蓋１２とは、ねじ部を通じて収納箱を構成し、収納箱は釣り糸用スプールの中空部分にスムーズに挿入でき、収納箱と釣り糸用スプールとの完璧な結合を図ることができ、携帯や使用が便利なうえ、実用性に優れる。
【００２０】
釣りをするとき、釣り針、サルカン、ウキ、オモリ、夜光珠などの小物が使われる。通常、ビニール袋又はプラスチック製の箱でこれらの小物を収納するが、ビニール袋の場合は、事前の用意が必要で面倒なうえ、袋が破損して小物が落ちたり、釣り針でけがをしたりすることがある。また、小物入れを用意することができるが、小物が多くて、形が様々で、全部収納できる箱を用意するのが一苦労である。一方、市販の釣り針などを収納するための収納箱を使うことができるが、値段が割高で、サイズも統一しておらず、携帯と使用には不便である。本考案に係る製品を使えば、収納箱が内蔵されているため、小物を直接収納することができ、省スペースで、携帯も使用も便利で、怪我をすることはない。このように、釣り具がきれいに収納され、便利に取り出される。
【００２１】
収納箱本体１１の開口部側の外周にはねじ部即ち第一ねじ部１１１が形成されており、収納箱本体１１の底部側の内周にもねじ部即ち第三ねじ部１１２が形成されており、収納箱蓋１２の内側にはねじ部即ち第二ねじ部１２１が形成されている。これらのねじ部を通じて、複数の収納箱本体１１同士を使用者の必要に応じて接続したうえ、収納箱蓋１２を接続することができる。非常に便利であり、美観面にも優れる。この機能は釣りのときの小物入れとして利用できるほか、日常生活によく使われる小物入れとしても利用できるため、実用性と適応性に優れる。
【００２２】
収納箱本体１１と収納箱蓋１２とを接続することで独立した収納箱を形成することができる。必要に応じて釣り糸用スプール１３に挿入したり、抜き出したりして使うことができる。また、釣り糸用スプール１３に合わせて利用できるほか、単独で利用することも構わないので、非常に便利である。
【００２３】
本考案の収納箱内蔵釣り糸用スプールにあっては、収納箱本体１１と収納箱蓋１２とを接続することで収納箱を構成することができる。この収納箱は、釣り糸用スプール１３に固定的に内蔵されるものであってもよく、必要に応じて挿入したり、抜き出したりすることができるものであってもよい。釣り糸用スプール１３に合わせて利用してもよいし、釣り糸用スプール１３から独立して利用してもよい。
【００２４】
収納箱は、三角形、菱形、円柱など、任意の形に設計することができる。
【００２５】
今回開示された実施の形態はすべての点で例示であって、制限的なものではないと考えられるべきである。本考案の範囲は、実用新案登録請求の範囲によって示され、実用新案登録請求の範囲と均等の意味及び範囲内でのすべての変更が含まれることが意図される。
【図１】
0003201600.tif 000003
【図２】
0003201600.tif 000004